(57)【要約】      （修正有）【課題】大型洗濯機等による機械的力が働くことで変形し，衿に折れシワが発生しないように，衿に形態安定性を充分に付与した浴衣を提供する。【解決手段】少なくとも上半身の胴体を覆う左前身頃１２，右前身頃及び後身頃を有する前合わせの浴衣本体と，後身頃の上端中央から縁に沿って左前身頃１２及び，右前身頃に所定長さに亘って延びる衿３とを有する浴衣であって，衿３が，長手方向に沿って二つ折りにされた所定幅の帯状体であって，対向する二片３１，３２のうちの一片３１の内側全面に接着された芯地４と，二片３１，３２の先端部がそれぞれ内側に折り返された一対の折返部３３，３４とを有し，一対の折返部３３，３４の間に装飾テープ５と浴衣本体とが挟み込まれた状態で，衿３の長手方向に一体に縫い合わされている。【選択図】図３
0003214675.tif 000002
【実用新案登録請求の範囲】
【請求項１】
少なくとも上半身の胴体を覆う左前身頃，右前身頃及び後身頃を有する前合わせの浴衣本体と，前記後身頃の上端中央から縁に沿って前記左前身頃及び，前記右前身頃に所定長さに亘って延びる衿とを有する浴衣であって，
前記衿が，長手方向に沿って二つ折りにされた所定幅の帯状体であって，対向する二片のうちの一片の内側全面に接着された芯地と，前記二片の先端部がそれぞれ内側に折り返された一対の折返部とを有し，前記一対の折返部の間に装飾テープと前記浴衣本体とが挟み込まれた状態で，前記衿の長手方向に一体に縫い合わされていることを特徴とする浴衣。
【請求項２】
前記芯地が，前記二片それぞれの内側全面に接着されていることを特徴とする請求項１記載の浴衣。
【請求項３】
前記装飾テープが，長手方向に沿って二つ折りにされた帯状体であることを特徴とする請求項１又は２記載の浴衣。
【請求項４】
前記芯地が，ポリエステル１００％からなる熱接着シートであることを特徴とする請求項１〜３いずれか１項記載の浴衣。
【請求項５】
前記熱接着シートの厚みが，０．０３〜０．０５ｍｍであることを特徴とする請求項４記載の浴衣。
【請求項６】
前記熱接着シートの接着温度が，１２０〜１３０℃であることを特徴とする請求項４又は５記載の浴衣。
【考案の詳細な説明】
【技術分野】
【０００１】
本考案は，病院，福祉施設，健康ランド，宿泊施設等に使用される浴衣であって，洗濯後に，衿のシワ及び，折り曲がりの発生を防止することを目的とした浴衣に関する。
【背景技術】
【０００２】
病院，福祉施設，健康ランド，宿泊施設等に使用される浴衣は，毎日大量に使用され，衛生上，その都度洗濯に出されるものであるため，一つずつ洗濯してアイロンをかけるようなことは非効率的であり，大量の洗濯物を大型の機械で一括してクリーニングするのが普通である。
【０００３】
しかし，洗濯，脱水，乾燥の全てを機械によって処理すると，特に，衿に折れやシワが入った状態で仕上がってしまうことが多々あり，洗濯後の清潔な浴衣であっても，衿に折れやシワが有ることで利用者に使用を敬遠される問題があった。
【０００４】
大型洗濯機を使用した洗濯，脱水，乾燥の各工程では，洗濯対象の浴衣に大きな機械的力が働き浴衣が様々な形に変形し，この変形に起因して全工程終了後の浴衣の衿に折れやシワが発生するのである。
【０００５】
また，例えば，乾燥を自動プレス等で行うと，乾燥前の洗濯された浴衣の状態を視認することができず，衿にシワや折れが生じた状態で乾燥処理してしまい，プレス後も衿に折れやシワが残る問題があり，また，乾燥工程にロールで洗濯物を挟みながらプレスをしていくロール式のプレス機を使用すると，衿に折れが生じ易い問題が有った。  
【０００６】
そこで，機械仕上げによる洗濯により衿に折れ，型崩れやシワが発生することを防止するために，衿表に水溶性仮接着心による抜き芯をバイヤスに張り付けた浴衣が提示されている。
【先行技術文献】
【特許文献】
【０００７】
【特許文献１】実用新案登録第３０５２７４１号公報
【考案の概要】
【考案が解決しようとする課題】
【０００８】
しかし，衿に抜き芯を貼ったのみでは，依然として，クリーニング後の浴衣の衿に折れシワが発生する問題があり，衿の形態安定性をさらに強化する必要があった。
【０００９】
本考案は，上記問題点に鑑みてなされたものであって，大型洗濯機等による機械的力が働くことで変形し，衿に折れシワが発生しないように，衿に形態安定性を充分に付与した浴衣を提供することを目的とする。
【課題を解決するための手段】
【００１０】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本考案の技術的範囲の解釈に制限的に用いられるものではない。
【００１１】
本考案の浴衣１は，少なくとも上半身の胴体を覆う左前身頃１２，右前身頃１３及び後身頃１４を有する前合わせの浴衣本体１０と，前記後身頃１４の上端中央から縁に沿って前記左前身頃１２及び，前記右前身頃１３に所定長さに亘って延びる衿３とを有する浴衣１であって，
前記衿３が，長手方向に沿って二つ折りにされた所定幅の帯状体であって，対向する二片３１，３２のうちの一片３１（又は３２）の内側全面に接着された芯地４と，前記二片３１，３２の先端部がそれぞれ内側に折り返された一対の折返部３３，３４とを有し，前記一対の折返部３３，３４の間に装飾テープ５と前記浴衣本体１０とが挟み込まれた状態で，例えば糸６により，前記衿３の長手方向に一体に縫い合わされていることを特徴とする（請求項１）。
【００１２】
前記芯地４が前記二片３１，３２それぞれの内側全面に接着されていても良い（請求項２）。
【００１３】
前記装飾テープ５が，長手方向に沿って二つ折りにされた帯状体であっても良い（請求項３）。
【００１４】
本考案では，前記芯地４はポリエステル１００％からなる熱接着シートを使用することが好ましい（請求項４）。
【００１５】
前記熱接着シートの厚みは，０．０３〜０．０５ｍｍとすることが好ましく（請求項５），また，前記熱接着シートの接着温度は１２０〜１３０℃が好ましい（請求項６）。
【考案の効果】
【００１６】
上述した構成を有する浴衣１の衿３は，対向する二片３１，３２のうちの一片３１（又は３２）の内側全面に芯地４を接着して先端部を折り返し重ね合わさせることで折返部３３において芯地４が二重となり，さらに，一対の折返部３３，３４と装飾テープ５と浴衣本体１０とを縫い合わせて一体とされたことにより強度が増し，従来の単に芯を張り付けた衿に比べて形態安定性が向上した。 
【００１７】
従って，本考案の浴衣１の衿３は十分な形態安定性を有するため，大型洗濯機等による機械的力によって変形して衿３に折れやシワが発生することがない。これにより，例えば，上述した乾燥前の状態を視認できない自動プレス等で乾燥したとしても，衿３に折れやシワが発生しない。
【００１８】
また，前記芯地４を前記二片３１，３２それぞれの内側全面に接着することで衿３の形態安定性をさらに向上できた。さらに，前記装飾テープ５に長手方向に沿って二つ折りにされた帯状体を使用することで衿３の形態安定性をさらに向上できた。
【００１９】
また，芯地４に使用する，ポリエステル１００％からなる熱接着シートは，形態安定性，可撓性，追従性，平滑性，接着性，耐クリーニング性に優れる。
【図面の簡単な説明】
【００２０】
【図１】本考案の浴衣１の第一実施形態の正面図。
【図２】背面図。
【図３】（Ａ）は，図１に示す衿３のＡ−Ａ線断面図。（Ｂ）は，図１のＢ部拡大図。
【図４】本考案の浴衣１の他の実施形態の正面図。
【図５】本考案の浴衣１の他の実施形態の正面図。
【考案を実施するための形態】
【００２１】
本考案の浴衣１の第一実施形態について以下，図１〜図３を参照して説明する。
【００２２】
本考案の浴衣１の第一実施形態を示す図１には，上衣（部）及び下衣（部）から成るセパレートタイプの二部式の浴衣の上衣（部）が図示されており，図示せざる下衣（部）は，例えば，ズボン，巻きスカート等を採用することができ，特に限定されるものではない。
【００２３】
図１に示す，本実施形態の浴衣１は，胴体を覆う左前身頃１２，右前身頃１３及び後身頃１４を有する浴衣本体（身頃）１０と浴衣本体１０の上部左右に設けられた袖２，２を有し，着用時には，前記袖２，２に腕を通し左右の前身頃１２，１３を重ね合わせる前合わせの浴衣である。
【００２４】
そして，本実施形態の浴衣１は，図１及び図２に示すように，浴衣本体１０の後身頃１４の上端中央から縁に沿って左前身頃１２及び前記右前身頃１３の各々の下端にかけて所定幅の帯状の衿３が設けられている。
【００２５】
図３（Ａ）は，浴衣本体１０の左前身頃１２に設けられた衿３の断面視における構造を示しており（図１に示す衿３のＡ―Ａ線断面図），具体的には，所定幅を有する帯状の衿布を長手方向に沿って二つ折りにして，対向する二片（一片３１，他片３２）のうちの一片３１の内側全面に芯地４を接着した後，二片３１，３２の先端（自由端）部を夫々内側に折り返して一対の折返部３３，３４を形成し，該一対の折返部３３，３４間に２つ折りにした装飾テープ（パイピングテープ）５と浴衣本体１０の左前見頃１２を挿入し，装飾テープ５と左前見頃１２が一対の折返部３３，３４に挟まれた状態にて糸６で衿３の長手方向に連続して（図３（Ｂ）参照），一体に縫い合わせた構成と成っている。
【００２６】
なお，本実施形態では，対向する二片３１，３２のうちの一片３１の内側全面に芯地４を接着しているが，他片３２の内側全面に芯地４を接着しても良く，さらには，二片３１，３２それぞれの内側全面に芯地４を接着しても良い。
【００２７】
また，本実施形態では，図３（Ａ），（Ｂ）に示すように，二片３１，３２の基端部を糸６’で縫い合わせているが，糸６’を省略しても良い。
【００２８】
上述した構成を有する本実施形態の衿３は，図３（Ａ）を参照すると，糸６の縫合部では，二つ折りにした衿布の一片３１の内側全面に芯地４を接着して先端を折り返し重ね合わせた折返部３３において芯地４が二重となり，さらに，一対の折返部３３，３４と装飾テープ５と左前見頃１２とを糸６で縫い合わせて一体とされたことにより強度が増しており，従来の単に芯を張り付けた衿に比べて形態安定性が向上し，クリーニング後の浴衣１の衿のシワや折れの発生を防止することが可能となる。
【００２９】
本考案に使用される前記芯地４は，衿３に接着させて，衿３に形態安定性を付与するものであれば特に限定されず，例えば，薄いプラスチック板あるいは，布製のもの等が使用され，また，前記布製は，天然繊維だけでなく，合成樹脂繊維の織物などを含む。
【００３０】
好ましくは，本考案の芯地４には，衿布に重ねて加熱し，両者を熱接着することにより接着，固定させることができる熱接着性のシート（熱接着性樹脂シート）を採用し，例えば，ポリエステル，ポリアミド等を素材とした合成樹脂フィルム，編織物や不織布等を用いることができる。
【００３１】
なお，本実施形態では，ポリエステル１００％からなる熱接着シートを使用しており，ポリエステル１００％を素材とした物は，形態安定性，可撓性，追従性，平滑性，接着性，耐クリーニング性に優れる。
【００３２】
ポリエステル１００％からなる熱接着シートを使用する場合，芯地の厚さは，好ましくは，０．０３〜０．０５ｍｍであり，接着温度（融点）の好ましい範囲は，１２０℃〜１３０℃の範囲内である
【００３３】
なお，上述の熱接着性のシートは，基布に熱接着樹脂層を形成したものであっても良い。例えば，芯地の基布に，ポリエステルおよび綿の混用品もしくは，綿１００％のもの，ポリエステル１００％の織物素材等を使用し，熱可塑性樹脂としては，ポリエチレン系樹脂，ポリアミド系樹脂，ポリエステル系樹脂，ポリ塩化ビニール系樹脂等が例示でき，水溶性のポリビニールアルコール系樹脂を含め、熱可塑性のものであれば特に限定されない。
【００３４】
また，芯地４には，上述した熱接着性のシートを使用する他にも，衿布に縫い合わせにより又は接着剤により接着されるものを使用することが可能である。
【００３５】
前記装飾テープ５は，図１及び図３（Ｂ）に示すように，前記衿３の縁に沿って取り付けられ，衿３全体を装飾する細幅のテープであって，例えば，細幅織機で織り上げ，色柄などによる意匠性を持たせた装飾用の細幅テープ，あるいは，フィルムをベースに意匠性を持たせた装飾フィルムテープ等を用いることが出来る。
【００３６】
装飾テープ５の厚みについては，衿布と同じかそれ以上であると形態安定性（補強）の面から良い。
【００３７】
なお，本実施形態の浴衣１では，図３（Ａ）に示すように，装飾テープ５を二つ折りにすることで形態安定性を強化しているが，本考案の装飾テープ５は，二つ折りに限定されるものではない。
【００３８】
また，装飾テープ５は，生地の色を変えて浴衣１のサイズを表すものとしても使え，例えば，Ｓサイズを黄色，Ｍサイズを赤色，Ｌサイズを青色とする等，色分けすることができる
【００３９】
また，本実施形態の浴衣１には，右前身頃１３の外側の腰付近の位置に紐体７ａが取り付けられ，着用時に該紐体７ａに結び合わせる紐体７ｂが左前身頃１２の衿３に取り付けられている。
【００４０】
さらに，本実施形態の浴衣１には，左前身頃１２の内側の腰付近の位置にも紐体７ｃが取り付けられ，着用時に該紐体７ｃに結び合わせる紐体７ｄが右前身頃１３の衿３に取り付けられている。
【００４１】
なお，本考案の浴衣１は，上述の紐体を設けずに，着用時に帯（図示せず）を巻く着物スタイルでも良い。
【００４２】
上述した浴衣本体１０，袖２，衿３，装飾テープ５，紐体７ａ，７ｂ，７ｃ，７ｄ，帯（図示せず）の各素材は，例えば，ポリエステル，綿，麻，絹，またはこれらを混紡したもの等を用いることができる。また，衿３の生地については，例えば，浴衣本体と同じ生地（共生地）を採用しても良い。
【００４３】
また，上述した本考案の第一実施形態の浴衣１について，大型洗濯機による洗濯，脱水，乾燥を連続して１２０回行う洗濯テストを行ったが，洗濯テスト中に浴衣１の衿３にシワや折れの発生が確認されなかった。
【００４４】
本考案の浴衣１の他の実施形態として，図４に示すように，上下セパレートタイプの二部式でない，上半身から下半身（足首近傍）まで延びる一部式の浴衣１でも良い。
【００４５】
本実施形態では，衿３は，図４に示すように，浴衣本体１０の後身頃（図示せず）の上端中央（着衣者の首の後に位置）から右前身頃１３及び左前身頃１２の各々の下端にまで延ばさずに，腰付近（所定長さ）まで延ばしたものであるが，図１の実施形態のように右前身頃１３及び左前身頃１２の各々の下端にまで延ばしても良い。
【００４６】
また，本実施形態の浴衣１は，上述の紐体を設けずに，着用時に帯（図示せず）を巻く着物スタイルである。
【００４７】
また，図５に示すように，本考案の浴衣１は，袖２，２の無い，袖なし浴衣としても良い。
【符号の説明】
【００４８】
１…浴衣
１０…浴衣本体
１２…左前身頃
１３…右前身頃
１４…後身頃
２…袖
３…衿
３１…一片
３２…他片
３３…折返部
３４…折返部
４…芯地
５…装飾テープ
６…糸
７ａ，７ｂ，７ｃ，７ｄ…紐体
【図１】
0003214675.tif 000003
【図２】
0003214675.tif 000004
【図３】
0003214675.tif 000005
【図４】
0003214675.tif 000006
【図５】
0003214675.tif 000007